(57)【要約】【課題】  小型化が可能であると共に時刻情報をより確実に受信して通知できるようにすること。【解決手段】  心拍計及び電波時計の機能を有する携帯型情報送信装置から、アンテナ２０１及び受信回路２０２を介して、少なくとも心拍情報及び現在時刻情報を含む送信データ受信すると、ＣＰＵ２０３は、前記受信した現在時刻情報に基づいて自己の計時時刻を修正すると共に、前記修正後の現在時刻及び前記受信した心拍情報に対応する心拍データを表示手段２１０に表示する。【選択図】  図２
2008022891.tif 000002
【特許請求の範囲】
【請求項１】
検出した生体信号に対応する生体情報を出力する生体情報測定手段と、現在時刻情報を含む標準電波を受信するための標準電波受信手段と、計時動作を行う第１計時手段と、前記標準電波受信手段によって受信した標準電波に基づき前記第１計時手段の時刻を修正する第１時刻修正手段と、前記第１計時手段から得られる時刻情報と前記生体情報測定手段から得られる生体情報とを含む送信データを生成する送信データ生成手段と、前記送信データを送信するデータ送信手段とを有する携帯型情報送信手段と、
前記データ送信手段からの送信データを受信するデータ受信手段と、計時動作を行う第２計時手段と、前記データ受信手段によって受信した送信データに含まれる時刻情報に基づいて前記第２計時手段の時刻を修正する第２時刻修正手段と、前記第２計時手段が計時している時刻及び前記送信データに含まれる生体情報に基づく生体データを通知する通知手段とを有する携帯型情報受信手段、
とを備えて成ることを特徴とする携帯型情報伝送システム。
【請求項２】
前記携帯型情報送信手段は、更に前記生体情報測定手段が身体に装着されたか否かを検出する装着検出手段を有し、
前記生体情報測定手段が身体に装着されていないことを前記装着検出手段が検出したとき、前記標準電波受信手段は前記標準電波を受信し、前記第１時刻修正手段は前記標準電波受信手段によって受信した標準電波に基づき前記第１計時手段の時刻を修正することを特徴とする請求項１記載の携帯型情報伝送システム。
【請求項３】
前記携帯型情報送信手段は、更に第１識別情報を記憶する第１記憶手段を有すると共に、前記送信データ生成手段は、前記送信データとして、更に前記第１識別情報を含む信号を生成し、
前記携帯型情報受信手段は、更に、前記第１識別情報に対応する第２識別情報を記憶する第２記憶手段と、前記第１、第２識別情報が所定の関係にあるか否かを判別する識別情報判別手段とを有し、前記第２時刻修正手段は、前記第１、第２識別情報が所定の関係にあると前記識別情報判別手段が判別したときに、前記送信データに含まれる時刻情報に基づき前記第２計時手段の時刻を修正することを特徴とする請求項１又は２記載の携帯型情報伝送システム。
【請求項４】
前記通知手段は、前記第１、第２識別情報が所定の関係にあると前記識別情報判別手段が判別したときに、前記送信データに含まれる生体情報に基づく生体データを通知することを特徴とする請求項３記載の携帯型情報伝送システム。
【請求項５】
前記携帯型情報送信手段は、更に前記標準電波に基づいて国情報を生成する国情報生成手段を有し、前記送信データ生成手段は、前記送信データとして、更に前記国情報を含む信号を生成し、
前記携帯型情報受信手段の通知手段は、更に前記送信データに含まれる国情報を通知することを特徴とする請求項１乃至４のいずれか一に記載の携帯型情報伝送システム。
【請求項６】
検出した生体信号に対応する生体情報を出力する生体情報測定手段と、現在時刻情報を含む標準電波を受信するための標準電波受信手段と、計時動作を行う計時手段と、前記標準電波受信手段によって受信した標準電波に基づき前記計時手段の時刻を修正する時刻修正手段と、前記計時手段から得られる時刻情報と前記生体情報測定手段から得られる生体情報とを含む送信データを生成する送信データ生成手段と、前記送信データを外部へ送信するデータ送信手段とを備えて成ることを特徴とする携帯型情報送信装置。
【請求項７】
更に前記生体情報測定手段が身体に装着されたか否かを検出する装着検出手段を有し、前記生体情報測定手段が身体に装着されていないことを前記装着検出手段が検出したとき、前記標準電波受信手段は前記標準電波を受信し、前記時刻修正手段は前記標準電波受信手段によって受信した標準電波に基づき前記計時手段の時刻を修正することを特徴とする請求項６記載の携帯型情報送信装置。
【請求項８】
更に識別情報を記憶する記憶手段を有すると共に、前記送信データ生成手段は、前記送信データとして、更に前記識別情報を含む信号を生成することを特徴とする請求項６又は７記載の携帯型情報送信装置。
【請求項９】
更に前記標準電波に基づいて国情報を生成する国情報生成手段を有し、前記送信データ生成手段は、前記送信データとして、更に前記国情報を含む信号を生成することを特徴とする請求項６乃至８のいずれか一に記載の携帯型情報送信装置。
【請求項１０】
少なくとも現在時刻情報及び生体情報を含む送信データを受信するデータ受信手段と、計時動作を行う計時手段と、前記データ受信手段によって受信した送信データに含まれる時刻情報に基づいて前記計時手段の時刻を修正する時刻修正手段と、前記計時手段が計時している時刻及び前記送信データに含まれる生体情報に基づく生体データを通知する通知手段とを備えて成ることを特徴とする携帯型情報受信装置。
【請求項１１】
更に、識別情報を記憶する記憶手段と、前記送信データに含まれる識別情報と前記記憶手段に記憶した識別情報が所定の関係にあるか否かを判別する識別情報判別手段とを有し、前記時刻修正手段は、前記両識別情報が所定の関係にあると前記識別情報判別手段が判別したときに、前記送信データに含まれる時刻情報に基づき前記計時手段の時刻を修正することを特徴とする請求項１０記載の携帯型情報受信装置。
【請求項１２】
前記通知手段は、前記両識別情報が所定の関係にあると前記識別情報判別手段が判別したときに、前記送信データに含まれる生体情報に基づく生体データを通知することを特徴とする請求項１１記載の携帯型情報受信装置。
【請求項１３】
前記通知手段は、更に前記送信データに含まれる国情報を通知することを特徴とする請求項１０乃至１２のいずれか一に記載の携帯型情報受信装置。
【発明の詳細な説明】
【技術分野】
【０００１】
本発明は、生体情報や時刻情報を伝送する情報伝送システム、前記情報伝送システムの構築に適した携帯型情報送信装置、携帯型情報受信装置に関する。
【背景技術】
【０００２】
従来から、携帯型電子機器の一種として、現在時刻を表すタイムコードを含む標準電波を受信して、前記タイムコードに対応する時刻に自動修正する電波時計が開発されている。例えば、特許文献１に記載された電波時計は、腕時計型電波時計の本体に内蔵した受信アンテナ及び受信回路により、送信所から送信された標準電波を受信して、前記電波時計の時刻のずれを修正するように構成されている。前記腕時計型電波時計は携帯可能な大きさに制限されるため、電波時計本体に内蔵する受信アンテナが一定の大きさ以下に制限され、受信感度を上げることが難しいという問題がある。
【０００３】
一方、他の携帯型電子機器として、特許文献２に記載されているように、心拍検出回路と心拍数演算回路と心拍間隔データ送信回路を備えたチェストバンドを人体の胸部に装着し、腕時計の本体に内蔵した受信アンテナ及び受信回路により、前記チェストバンドから送信される心拍間隔データを受信して、腕時計に心拍数を表示するようにした携帯型心拍計が開発されている。
【０００４】
前記電波時計に心拍計測機能を追加しようとする場合、双方の受信アンテナと受信回路を備える必要がある。このとき、腕時計サイズに小型化しようとすると、受信アンテナを小型化せざるを得ないため、受信感度が劣化するという問題がある。また、ハードウェアの回路規模が大きくなるため、受信感度を上げようとすると、アンテナのみならず周辺回路にも大きなスペースが必要となり、ますます小型化が困難になるという問題がある。
【０００５】
【特許文献１】特開２００２−０８２１８７号公報（段落〔００１１〕〜〔００２０〕、図１）
【特許文献２】再公表ＷＯ９６／２９００５号公報（第５頁〜第１５頁、図１〜図７）
【発明の開示】
【発明が解決しようとする課題】
【０００６】
本発明は、小型化が可能で、時刻情報をより確実に受信して通知できるようにすることを課題としている。
【課題を解決するための手段】
【０００７】
本発明によれば、検出した生体信号に対応する生体情報を出力する生体情報測定手段と、現在時刻情報を含む標準電波を受信するための標準電波受信手段と、計時動作を行う第１計時手段と、前記標準電波受信手段によって受信した標準電波に基づき前記第１計時手段の時刻を修正する第１時刻修正手段と、前記第１計時手段から得られる時刻情報と前記生体情報測定手段から得られる生体情報とを含む送信データを生成する送信データ生成手段と、前記送信データを送信するデータ送信手段とを有する携帯型情報送信手段と、
前記データ送信手段からの送信データを受信するデータ受信手段と、計時動作を行う第２計時手段と、前記データ受信手段によって受信した送信データに含まれる時刻情報に基づいて前記第２計時手段の時刻を修正する第２時刻修正手段と、前記第２計時手段が計時している時刻及び前記送信データに含まれる生体情報に対応する生体データを通知する通知手段とを有する携帯型情報受信手段、とを備えて成ることを特徴とする携帯型情報伝送システムが提供される。
【０００８】
携帯型情報送信手段側では、生体情報測定手段は検出した生体信号に対応する生体情報を出力し、標準電波受信手段は標準電波を受信し、第１時刻修正手段は前記標準電波受信手段によって受信した標準電波に基づき第１計時手段の時刻を修正し、送信データ生成手段は前記第１計時手段から得られる時刻情報と前記生体情報測定手段から得られる生体情報とを含む送信データを生成し、データ送信手段は前記送信データを送信する。
【０００９】
携帯型情報受信手段側では、データ受信手段は前記データ送信手段からの送信データを受信し、第２時刻修正手段は前記データ受信手段によって受信した送信データに含まれる時刻情報に基づいて第２計時手段の時刻を修正し、通知手段は前記第２計時手段が計時している時刻及び前記送信データに含まれる生体情報に対応する生体データを通知する。
【００１０】
ここで、前記携帯型情報送信手段は、更に前記生体情報測定手段が身体に装着されたか否かを検出する装着検出手段を有し、前記生体情報測定手段が身体に装着されていないことを前記装着検出手段が検出したとき、前記標準電波受信手段は前記標準電波を受信し、前記第１時刻修正手段は前記標準電波受信手段によって受信した標準電波に基づき前記第１計時手段の時刻を修正するように構成してもよい。
【００１１】
また、前記携帯型情報送信手段は、更に第１識別情報を記憶する第１記憶手段を有すると共に、前記送信データ生成手段は、前記送信データとして、更に前記第１識別情報を含む信号を生成し、前記携帯型情報受信手段は、更に、前記第１識別情報に対応する第２識別情報を記憶する第２記憶手段と、前記第１、第２識別情報が所定の関係にあるか否かを判別する識別情報判別手段とを有し、前記第２時刻修正手段は、前記第１、第２識別情報が所定の関係にあると前記識別情報判別手段が判別したときに、前記送信データに含まれる時刻情報に基づき前記第２計時手段の時刻を修正するように構成してもよい。
【００１２】
また、前記通知手段は、前記第１、第２識別情報が所定の関係にあると前記識別情報判別手段が判別したときに、前記送信データに含まれる生体情報に基づく生体データを通知するように構成してもよい。
また、前記携帯型情報送信手段は、更に前記標準電波に基づいて国情報を生成する国情報生成手段を有し、前記送信データ生成手段は、前記送信データとして、更に前記国情報を含む信号を生成し、前記携帯型情報受信手段の通知手段は、更に前記送信データに含まれる国情報を通知するように構成してもよい。
【００１３】
また、本発明によれば、検出した生体信号に対応する生体情報を出力する生体情報測定手段と、現在時刻情報を含む標準電波を受信するための標準電波受信手段と、計時動作を行う計時手段と、前記標準電波受信手段によって受信した標準電波に基づき前記計時手段の時刻を修正する時刻修正手段と、前記計時手段から得られる時刻情報と前記生体情報測定手段から得られる生体情報とを含む送信データを生成する送信データ生成手段と、前記送信データを外部へ送信するデータ送信手段とを備えて成ることを特徴とする携帯型情報送信装置が提供される。
【００１４】
生体情報測定手段は検出した生体信号に対応する生体情報を出力し、標準電波受信手段は標準電波を受信し、時刻修正手段は前記標準電波受信手段によって受信した標準電波に基づき計時手段の時刻を修正し、送信データ生成手段は前記計時手段から得られる時刻情報と前記生体情報測定手段から得られる生体情報とを含む送信データを生成し、データ送信手段は前記送信データを送信する。
【００１５】
ここで、更に前記生体情報測定手段が身体に装着されたか否かを検出する装着検出手段を有し、前記生体情報測定手段が身体に装着されていないことを前記装着検出手段が検出したとき、前記標準電波受信手段は前記標準電波を受信し、前記時刻修正手段は前記標準電波受信手段によって受信した標準電波に基づき前記計時手段の時刻を修正するように構成してもよい。
【００１６】
また、更に識別情報を記憶する記憶手段を有すると共に、前記送信データ生成手段は、前記送信データとして、更に前記識別情報を含む信号を生成するように構成してもよい。
また、更に前記標準電波に基づいて国情報を生成する国情報生成手段を有し、前記送信データ生成手段は、前記送信データとして、更に前記国情報を含む信号を生成するように構成してもよい。
【００１７】
また、本発明によれば、少なくとも現在時刻情報及び生体情報を含む送信データを受信するデータ受信手段と、計時動作を行う計時手段と、前記データ受信手段によって受信した送信データに含まれる時刻情報に基づいて前記計時手段の時刻を修正する時刻修正手段と、前記計時手段が計時している時刻及び前記送信データに含まれる生体情報に対応する生体データを通知する通知手段とを備えて成ることを特徴とする携帯型情報受信装置が提供される。
【００１８】
データ受信手段は前記データ送信手段からの送信データを受信し、時刻修正手段は前記データ受信手段によって受信した送信データに含まれる時刻情報に基づいて計時手段の時刻を修正し、通知手段は前記計時手段が計時している時刻及び前記送信データに含まれる生体情報に対応する生体データを通知する。
【００１９】
ここで、更に、識別情報を記憶する記憶手段と、前記送信データに含まれる識別情報と前記記憶手段に記憶した識別情報が所定の関係にあるか否かを判別する識別情報判別手段とを有し、前記時刻修正手段は、前記両識別情報が所定の関係にあると前記識別情報判別手段が判別したときに、前記送信データに含まれる時刻情報に基づき前記第２計時手段の時刻を修正するように構成してもよい。
【００２０】
また、前記通知手段は、前記両識別情報が所定の関係にあると前記識別情報判別手段が判別したときに、前記送信データに含まれる生体情報に基づく生体データを通知するように構成してもよい。
また、前記通知手段は、更に前記送信データに含まれる国情報を通知するように構成してもよい。
【発明の効果】
【００２１】
本発明に係る携帯型情報伝送システムによれば、システム構成要素の小型化が可能で、時刻情報をより確実に受信して通知することが可能になる。
また、本発明によれば、前記システムの構築に好適な携帯型情報送信装置及び携帯型情報受信装置を提供することが可能になる。
【発明を実施するための最良の形態】
【００２２】
以下、本発明の実施の形態に係る携帯型情報伝送システムについて説明する。本実施の形態では、心拍を測定する心拍計としての機能及び標準電波信号に含まれるタイムコードに基づいて自動的に時刻修正を行う電波時計としての機能を有する携帯型情報伝送システムの例を挙げている。
図１は、本発明の第１の実施の形態に係る携帯型情報伝送システムに使用する携帯型情報送信装置１００のブロック図である。携帯型情報送信装置１００は、心拍測定機能及び電波時計としての機能を有しており、心拍を測定する被測定者の胸に装着して使用されるチェストバンド形式のもので、携帯型情報送信手段を構成している。
【００２３】
図１において、携帯型情報送信装置１００は、生体信号である心拍を検出して対応する心拍信号を出力する電極１０１、電極１０１が被測定者の胸に装着されたか否かを検出する装着検出回路１０２、電極１０１からの心拍信号を波形整形して出力する心拍検出回路１０３、所定周波数の信号を生成する発振回路１０４、発振回路１０４によって生成した信号を分周して計時の基準となるクロック信号を生成する分周回路１０５、中央処理装置（ＣＰＵ）１０６、ＣＰＵ１０６が実行するプログラム等を記憶した読み出し専用メモリ（ＲＯＭ）１０７、心拍情報や識別情報等のデータを記憶するランダムアクセスメモリ（ＲＡＭ）１０８、送信回路１０９、受信回路１１０、送受信の切替を行う切替回路１１１、アンテナ１１２を備えている。
【００２４】
アンテナ１１２は、標準電波受信用と、心拍情報や現在時刻情報等を含む送信データの送信用とを兼ねたアンテナである。前記送信データの周波数は標準電波とは異なる周波数に設定されている。
ここで、電極１０１及び心拍検出回路１０３は生体情報測定手段を構成し、受信回路１１０、切替回路１１１及びアンテナ１１２は標準電波受信手段を構成し、発振回路１０４、分周回路１０５及びＣＰＵ１０６は第１計時手段を構成し、送信回路１０９、切替回路１１１及びアンテナ１１２はデータ送信手段を構成し、装着検出回路１０２は装着検出手段を構成し、ＲＯＭ１０７及びＲＡＭ１０８は第１記憶手段を構成している。また、ＣＰＵ１０６は、第１時刻修正手段、送信データ生成手段、国情報生成手段をも構成している。
【００２５】
図２は、前記携帯型情報伝送システムに使用する携帯型情報受信装置２００のブロック図である。携帯型情報受信装置２００は、携帯型情報送信装置１００から受信した心拍情報を通知する機能及び携帯型情報送信装置１００から受信した現在時刻情報に基づいて時刻修正を行うと共に現在時刻を通知する機能を有しており、心拍を測定する被測定者の腕に装着して使用される腕時計形式のもので、携帯型情報受信手段を構成している。
【００２６】
図２において、携帯型情報受信装置２００は、携帯型情報送信装置１００からの送信データを無線によって受信するアンテナ２０１、アンテナ２０１によって受信した送信データに含まれる心拍情報等の情報信号を出力する受信回路２０２、中央処理装置（ＣＰＵ）２０３、ＣＰＵ２０３が実行するプログラム等を記憶した読み出し専用メモリ（ＲＯＭ）２０４、心拍情報や識別情報等のデータを記憶するランダムアクセスメモリ（ＲＡＭ）２０５、所定周波数の信号を生成する発振回路２０６、発振回路２０６によって生成した信号を分周して計時の基準となるクロック信号を生成する分周回路２０７、キースイッチ等によって構成され心拍検出開始等の操作を行う入力手段２０８、表示駆動回路２０９、液晶表示装置（ＬＣＤ）等によって構成された表示手段２１０を備えている。
【００２７】
アンテナ２０１及び受信回路２０２によって受信可能な信号周波数は、情報送信装置１００からの送信データは受信できるが、標準電波は受信できないような周波数に設定されている。
ここで、アンテナ２０１及び受信回路２０２はデータ受信手段を構成し、ＣＰＵ２０３、発振回路２０６及び分周回路２０７は第２計時手段を構成し、表示駆動回路２０９及び表示手段２１０は通知手段を構成し、ＲＯＭ２０４及びＲＡＭ２０５は第２記憶手段を構成している。また、ＣＰＵ２０３は第２時刻修正手段、識別情報判別手段をも構成している。
【００２８】
図３は、携帯型情報送信装置１００の処理を示すフローチャートであり、ＣＰＵ１０６がＲＯＭ１０７に記憶したプログラムを実行することによって行う処理である。
図４は、携帯型情報受信装置２００の処理を示すフローチャートであり、ＣＰＵ２０３がＲＯＭ２０４に記憶したプログラムを実行することによって行う処理である。
【００２９】
図５は、携帯型情報送信装置１００から携帯型情報受信装置２００へ送信する送信データの形式を示す図である。図５において、送信データは、プリアンブル５０１、識別情報（ＩＤ）５０２、心拍情報５０３、年月日を含む時刻情報５０４を有しており、各情報はスタートビット及びストップビットによって挟まれている。
【００３０】
識別情報５０２の設定方法としては、携帯型情報送信装置１００の製造時にＲＡＭ１０８に識別情報を記憶させておき、携帯型情報受信装置２００の入力手段２０８から、前記識別情報と所定関係（例えば同一）の識別情報をＲＡＭ２０５に記憶させるようにしてもよい。この場合、識別情報として、製品のシリアル番号やロット番号等を用いてもよい。
【００３１】
また、他の設定方法として、携帯型情報送信装置１００の製造時にＲＡＭ１０８に識別情報を記憶させておくか、あるいは、ＣＰＵ１０６が発生した乱数を識別情報としてＲＡＭ１０８に記憶させておき、携帯型情報受信装置２００が携帯型情報送信装置１００から最初に受信した送信データに含まれている識別情報と同一又は所定関係にある情報を識別情報としてＲＡＭ２０５に記憶させ、この識別情報を用いて自己宛の送信データか否かを判断するようにしてもよい。
このように、送信データ中に固有の識別情報を含めることにより、他の機器の信号との混信を防止することが可能になる。
【００３２】
以下、図１〜図５を用いて、本第１の実施の形態に係る携帯型情報伝送システムの動作を説明する。
装着検出回路１０２は、携帯型情報送信装置１００（具体的には電極１０１）が使用者の身体に装着されていない状態では、身体に装着されていないことを表す低レベル信号（身体未装着検出信号）を出力し、携帯型情報送信装置１００（具体的には電極１０１）が被測定者の身体（具体的には胸）に装着されている状態では、身体に装着されたことを表す高レベル信号（身体装着検出信号）を出力する。
【００３３】
ＣＰＵ１０６は、携帯型情報送信装置１００が被測定者の身体に装着されているか否かを表す装着検出回路１０２からの検出信号に基づいて、情報送信装置１００が被測定者の身体に装着されたか否かを判断する（図３のステップＳ３０１）。
ＣＰＵ１０６は、装着検出回路１０２からの信号が未装着検出信号の場合には未装着と判断して、標準電波の受信時刻が到来したか否かを判断し（ステップＳ３０２）、前記時刻が到来したと判断すると、切替回路１１１の内部の同調回路を受信用回路に切り替えると共にアンテナ１１２を受信回路１１０側に切り替え接続する（ステップＳ３０３）。
【００３４】
次に、ＣＰＵ１０６は、現在時刻を表すタイムコードを含む標準電波を、アンテナ１１２、受信回路１１０を介して受信し（ステップＳ３０４）、タイムコードを正常に受信した場合には（ステップＳ３０５）、計時時刻を前記タイムコードに対応する現在時刻に修正した後（ステップＳ３０６）、分周回路１０５からのクロック信号に基づく計時動作を行う（ステップＳ３０７）。
【００３５】
ＣＰＵ１０６は、処理ステップＳ３０５において、タイムコードを正常に受信できなかったと判断した場合には、時刻修正を行うことなく、処理ステップＳ３０７に移行する。
また、ＣＰＵ１０６は、処理ステップＳ３０２において、時刻修正を行う時刻が到来していないと判断した場合には、時刻修正処理を行うことなく、処理ステップＳ３０７に移行する。
【００３６】
一方、ＣＰＵ１０６は、処理ステップＳ３０１において、装着検出回路１０２からの信号が装着検出信号の場合には装着済みと判断して、電極１０１及び心拍検出回路１０３を介して心拍信号を受信したか否かを判断し（ステップＳ３０８）、心拍信号を受信したと判断した場合には、所定時間内に検出した心拍信号に基づいて、１分当たりの心拍数を算出する（ステップＳ３０９）。
【００３７】
次に、ＣＰＵ１０６は、算出した心拍数が正常値か否かを判断し（例えば、心拍数が所定範囲内の数値であれば正常値と判断する。）（ステップＳ３１０）、正常値の場合には、現在時刻情報、前記心拍数情報及びＲＡＭ１０８に記憶している識別情報を合成して図５に示す形式の送信データを生成し（ステップＳ３１１）、所定周期で到来する送信時刻になっていれば（ステップＳ３１２）、切替回路１１１の同調回路を送信用に切り替えると共にアンテナ１１２を送信回路１０９側に切り替え接続し（ステップＳ３１３）、前記送信データを送信出力する（ステップＳ３１４）。
【００３８】
このように、所定周期で周期的に送信データを送信するように構成しているので、特定の時刻が到来したときに送信データを送信するような構成に比べて、特定時刻の到来を判別する必要がないため、構成を簡略化することが可能になる。
一方、被測定者が自己の腕に装着した携帯型情報受信装置２００側においては、入力手段２０８によって心拍表示動作の開始操作行うと、ＣＰＵ２０３は、これに応答して受信回路２０２をオンにし、情報送信装置１００からの送信データを受信開始する（図４のステップＳ４０１）。
【００３９】
ＣＰＵ２０３は、受信した信号中のプリアンブル５０１を受信した後（ステップＳ４０２）、識別情報５０２を受信する（ステップＳ４０３）。受信した識別情報がＲＡＭ２０５に記憶した識別情報と所定関係にある（例えば、一致する）場合には（ステップＳ４０４）、心拍情報と現在時刻情報を受信した後（ステップＳ４０５、Ｓ４０６）、受信回路２０２をオフにして受信動作を停止する（ステップＳ４０７）。
ＣＰＵ２０３は、受信した心拍数情報等に基づいて受信した信号が正常と判断した場合には（ステップＳ４０８）、表示手段２１０の心拍数表示を、前記新たに受信した心拍数の表示に更新する（ステップＳ４０９）。
【００４０】
次に、ＣＰＵ２０３は、自己が計時している時刻の修正が必要か否かを判断する（ステップＳ４１０）。ここで、ＣＰＵ２０３は、入力手段２０８の操作によって心拍検出動作を開始した際の最初の送信データの受信の場合には、時刻の修正が必要と判断する。ＣＰＵ２０３は、時刻の修正が必要と判断した場合には、自己の計時時刻を受信した現在時刻によって修正した後（ステップＳ４１２）、分周回路２０７からのクロック信号に基づいて継続して計時動作を行い、所定時間待った後（ステップＳ４１１）、ステップＳ４０１に戻って受信回路２０２を再びオンにし、前記処理を繰り返す。これにより、情報送信装置１００側の送信周期に同期した受信動作が可能になり、消費電力を低減することが可能になる。
【００４１】
ＣＰＵ２０３は、処理ステップＳ４１０において、時刻修正が不要と判断した場合には、時刻修正を行わずに処理ステップＳ４１１に移行する。
ＣＰＵ２０３は、処理ステップＳ４０８において、受信が正常に行われたと判断しなかった場合には、心拍数の更新処理や時刻修正処理を行わずに処理ステップＳ４１１に移行する。
ＣＰＵ２０３は、処理ステップＳ４０４において、識別情報が所定の関係にないと判断した場合には、受信動作を行わずにステップＳ４０７へ移行する。
また、ＣＰＵ２０３は、処理ステップＳ４０２において、プリアンブル５０１を所定時間受信しない場合には処理を終了する（ステップＳ４１３）。
【００４２】
以上述べたように本第１の実施の形態によれば、携帯型情報受信装置１００は自己の計時している時刻を、受信した標準電波に含まれる現在時刻情報に基づいて修正すると共に前記現在時刻の情報及び測定した心拍の情報を送信データとして送信し、携帯型情報受信装置２００は自己の計時している時刻を前記送信データに含まれる現在時刻情報に基づいて修正すると共に現在時刻及び前記送信データに含まれる心拍数情報を表示するようにしているので、従来の電波時計内蔵アンテナによって標準電波を受信して時刻修正を行う場合に比べて、高感度な受信が可能になるという効果を奏する。
【００４３】
また、送信データの形式が、従来の心拍検出システムで使用している送信データの形式（識別情報＋心拍情報）に現在時刻情報を追加しただけなので、情報受信装置２００側はソフトウェアの処理の追加のみの簡単な構成でよく、ハードウェアは従来の心拍計測機能付き腕時計のままで、電波修正機能を追加した腕時計を実現することが可能となる。
また、情報送信装置１００が送信する電波は、標準電波より電界強度が強いため、情報受信装置２００に内蔵する受信アンテナ２０１と受信回路２０２の受信感度は、従来の電波修正時計の受信感度より低くてよいため、安定動作が可能になるという効果を奏する。
【００４４】
次に、本発明の第２の実施の形態に係る携帯型情報伝送システム、前記携帯型情報伝送システムを構築するに好適な携帯型情報送信装置及び携帯型情報受信装置について説明する。
図６は、本第２の実施の形態に係る携帯型情報受信装置の処理を示すフローチャートであり、図４と同一部分には同一符号を付している。
【００４５】
図７は、本第２の実施の形態に係る携帯型情報送信装置から携帯型情報受信装置へ送信する送信データの形式を示す図であり、図５と同一部分には同一符号を付している。図７において、送信データは、図５の情報に加えて、どの国の現在時刻情報であるのかを表す国情報７０１が含まれている。
【００４６】
本第２の実施の形態において、携帯型情報送信装置のハードウェア構成は図１と同一であるが、ＲＡＭ１０８には、受信した現在時刻の国名を判別するための国判別基準情報が記憶されており、ＣＰＵ１０６は、前記国判別基準情報に基づいて、受信した標準電波から国名を判別し、図７に示した形式の送信データを生成して送信するように構成されている。
【００４７】
尚、標準電波から国名の判別は、標準電波の周波数及びコード形式に基づいて行うことが可能であるため、前記国判別基準情報として、標準電波の周波数及びコード形式と国名とを対応付けた表を複数組記憶させておけばよい。
また、携帯型情報受信装置のハードウェア構成は、図２と同一であるが、ＲＡＭ２０５内に、情報送信装置から受信した最新の送信データに含まれる国情報が記憶されている。
【００４８】
以下、本第２の実施の形態に係る携帯型情報伝送システムの動作を説明する。尚、主として前記第１の実施の形態と相違する部分について説明することとし、同一部分については説明を省略する。
情報送信装置１００のＣＰＵ１０６は、算出した心拍数が正常値の場合には、ＲＡＭ１０８に記憶している識別情報５０１、心拍数５０２、現在時刻５０３、ＲＡＭ１０８に記憶している前記国判別基準情報に基づいて判別した国情報７０１を合成して図７に示す形式の送信データを生成し、所定周期で到来する送信時刻になっていれば、切替回路１１１の同調回路を送信用に切り替えると共にアンテナ１１２を送信回路１０９側に切り替え接続し、前記送信データを送信出力する。
【００４９】
一方、携帯型情報受信装置２００側においては、ＣＰＵ２０３は、処理ステップＳ６０３において国情報を受信して、処理ステップＳ４１２において時刻修正を行った後、受信した前記国情報とＲＡＭ２０５に記憶した国情報を比較して、国情報の変更が必要か否かを判断し（図６のステップＳ６０１）、受信した前記国情報とＲＡＭ２０５に記憶した国情報が相違する場合には、ＲＡＭ２０５の国情報を新たに受信した国情報に修正すると共に、表示手段２１０には新たに受信した国情報に対応する国名を表示した後、処理ステップＳ４１１へ移行する（ステップＳ６０２）。
【００５０】
ＣＰＵ２０３は、処理ステップ６０１において、国情報の修正が不要と判断した場合には、処理ステップ４１１へ移行する。以後、前記処理及び図４の処理と同様の処理を繰り返す。これにより、情報受信装置２００の表示手段２１０には、心拍情報、現在時刻情報及び前記現在時刻の国情報が表示される。
【００５１】
以上述べたように、本第２の実施の形態では、前記第１の実施の形態と同様の効果を奏するのみならず、表示手段２１０に国情報を表示すると共に、使用する国にあわせて前記国情報を修正するため、どの国で使用しているのかを容易に把握することができるという効果を奏する。したがって、日本国のみならず米国等、時刻修正用の標準電波を使用している国で使用することが可能になる。
また、前記各実施の形態における携帯型情報送信装置は、心拍測定機能と電波時計機能を有しており、心拍の時間的な変動を容易に把握することが可能になるという効果を奏する。
【００５２】
尚、前記実施の形態では、携帯型情報送信装置として心拍測定機能を有する装置の例で説明したが、歩数測定機能を有する装置や脈拍測定機能を有する装置等、生体情報を測定する機能を有する装置に適用可能である。
また、時刻や心拍数の通知は表示手段２１０によって行ったが、音によって通知する等、種々の変形が可能である。
【産業上の利用可能性】
【００５３】
心拍測定機能、歩数測定機能、脈拍測定機能等の各種の生体情報測定機能と電波修正時計機能を有するシステムに適用可能である。
また、日本国のみならず米国等、時刻修正用の標準電波を使用している国において利用されるシステムに適用可能である。
【図面の簡単な説明】
【００５４】
【図１】本発明の第１の実施の形態に係る携帯型情報伝送システムに使用する携帯型情報送信装置のブロック図である。
【図２】本発明の第１の実施の形態に係る携帯型情報伝送システムに使用する携帯型情報受信装置のブロック図である。
【図３】本発明の第１の実施の形態に係る携帯型情報送信装置の処理を示すフローチャートである。
【図４】本発明の第１の実施の形態に係る携帯型情報受信装置の処理を示すフローチャートである。
【図５】本発明の第１の実施の形態に係る携帯型情報伝送システムで使用する送信データの形式を示す図である。
【図６】本発明の第２の実施の形態に係る携帯型情報受信装置の処理を示すフローチャートである。
【図７】本発明の第２の実施の形態に係る携帯型情報伝送システムで使用する送信データの形式を示す図である。
【符号の説明】
【００５５】
１００・・・携帯型情報送信手段を構成する携帯型情報送信装置
１０１・・・生体情報測定手段を構成する電極
１０２・・・装着検出手段を構成する装着検出回路
１０３・・・生体情報測定手段を構成する心拍検出回路
１０４・・・第１計時手段を構成する発振回路
１０５・・・第１計時手段を構成する分周回路
１０６・・・第１計時手段、第１時刻修正手段、送信データ生成手段、国情報生成手段を構成するＣＰＵ
１０７・・・第１記憶手段を構成するＲＯＭ
１０８・・・第１記憶手段を構成するＲＡＭ
１０９・・・データ送信手段を構成する送信回路
１１０・・・標準電波受信手段を構成する受信回路
１１１・・・標準電波受信手段及びデータ送信手段を構成する切替回路
１１２・・・標準電波受信手段及びデータ送信手段を構成するアンテナ１１２
２００・・・携帯型情報受信手段を構成する携帯型情報受信装置
２０１・・・データ受信手段を構成するアンテナ
２０２・・・データ受信手段を構成する受信回路
２０３・・・第２計時手段、第２時刻修正手段、識別情報判別手段を構成するＣＰＵ
２０４・・・第２記憶手段を構成するＲＯＭ
２０５・・・第２記憶手段を構成するＲＡＭ
２０６・・・第２計時手段を構成する発振回路
２０７・・・第２計時手段を構成する分周回路
２０８・・・入力手段
２０９・・・通知手段を構成する表示駆動回路
２１０・・・通知手段を構成する表示手段
【図１】
2008022891.tif 000003
【図２】
2008022891.tif 000004
【図３】
2008022891.tif 000005
【図４】
2008022891.tif 000006
【図５】
2008022891.tif 000007
【図６】
2008022891.tif 000008
【図７】
2008022891.tif 000009